(57)【要約】【課題】  表示試験における作業者の感電や短絡・地絡事故、電力供給支障などのヒューマンエラーを完全に防止しつつ、作業時間を大幅に短縮して、安全かつ確実に表示試験を行う。【解決手段】  Ｎ個の電力機器側端子とＮ個の表示基板側端子とを有する表示端子台を備えた遠隔監視制御装置の表示試験に用いられる表示試験装置であって、Ｎ個の共通端子を有する共通表示端子台と、共通端子に接続された共通表示基板と、Ｎ個の第１の制御信号に応じて、表示基板側端子のそれぞれに正側直流電源を供給するＮ個の第１のスイッチ回路と、第２の制御信号に応じて、電力機器側端子を表示基板側端子または共通端子にそれぞれ接続するＮ個の第２のスイッチ回路と、表示試験を行う場合に、電力機器側端子を共通端子にそれぞれ接続する第２の制御信号を出力するとともに、表示基板側端子に正側直流電源を順次供給する第１の制御信号を出力する制御信号出力部と、を有する。【選択図】  図１
2014023358.tif 000002
【特許請求の範囲】
【請求項１】
電力機器に接続されるＮ個（Ｎは２以上の整数）の電力機器側端子と表示基板に接続されるＮ個の表示基板側端子とを有する表示端子台を備えた遠隔監視制御装置の表示試験に用いられる表示試験装置であって、
Ｎ個の共通端子を有する共通表示端子台と、
前記共通端子に接続された共通表示基板と、
一端が前記表示基板側端子のそれぞれに接続され、Ｎ個の第１の制御信号に応じて、前記表示基板側端子のそれぞれに正側直流電源を供給するＮ個の第１のスイッチ回路と、
一端が前記電力機器側端子のそれぞれに接続され、第２の制御信号に応じて、前記電力機器側端子を前記表示基板側端子または前記共通端子にそれぞれ接続するＮ個の第２のスイッチ回路と、
前記遠隔監視制御装置の通信部を介して入力される制御情報に基づいて、前記第１の制御信号および前記第２の制御信号を出力する制御信号出力部と、
を有し、
前記制御信号出力部は、前記表示試験を行う場合に、
前記電力機器側端子を前記共通端子にそれぞれ接続する前記第２の制御信号を出力するとともに、
前記表示基板側端子に前記正側直流電源を順次供給する前記第１の制御信号を出力することを特徴とする表示試験装置。
【請求項２】
請求項１に記載の表示試験装置であって、
一端が前記正側直流電源に接続され、他端が前記第１のスイッチ回路の他端に共通に接続された第３のスイッチ回路をさらに有し、
前記制御信号出力部は、前記表示試験を行う場合に、前記第３のスイッチ回路を閉じる第３の制御信号を出力することを特徴とする表示試験装置。
【請求項３】
請求項１または請求項２に記載の表示試験装置であって、
前記表示基板から出力される表示情報と前記第１の制御信号とを前記表示基板側端子ごとに比較した結果に基づいて、前記表示試験の試験結果を出力する処理部をさらに有することを特徴とする表示試験装置。
【請求項４】
請求項３に記載の表示試験装置であって、
前記遠隔監視制御装置は、前記表示端子台を複数有し、
前記制御信号出力部は、前記表示試験を行う場合に、
複数の前記表示端子台のうち前記制御情報に基づいて選択された表示端子台の前記電力機器側端子を前記共通端子にそれぞれ接続する前記第２の制御信号を出力するとともに、
当該選択された表示端子台の前記表示基板側端子に前記正側直流電源を順次供給する前記第１の制御信号を出力し、
前記処理部は、
当該選択された表示端子台に接続されている前記表示基板から出力される前記表示情報と前記第１の制御信号とを前記表示基板側端子ごとに比較した結果に基づいて、前記表示試験の試験結果を出力するとともに、
当該選択された表示端子台以外の表示端子台に接続されている前記表示基板から出力される前記表示情報、および前記共通表示基板から出力される表示情報を出力することを特徴とする表示試験装置。
【発明の詳細な説明】
【技術分野】
【０００１】
本発明は、表示試験装置に関する。
【背景技術】
【０００２】
電力系統の信頼性を確保するためには、発電所、変電所などの電気所や送電線、配電線などの電線路を適宜監視することが重要である。また、電気所は交通が不便な場所にある場合や電気所運転の効率化のため無人のケースが多く、電気所内に設置されている電力機器は、一般に、遠隔監視制御装置（以下、遠制装置と称する）を用いて制御所や給電所などから遠隔制御（遠隔操作）されるとともに、それらの施設において遠隔監視されている。
【０００３】
このような遠制装置では、従来から据付時や数年に１回の定期点検時に表示試験（表示確認試験）が行われている。また、当該表示試験は、例えば特許文献１の図８に示されているように、試験用リード棒などを用いて、表示端子台の電力機器（装置外部）側の各端子を正側直流電源線（以下、Ｐ電源線と称する）と短絡させて行われている。さらに、特許文献１では、遠制装置が平常運転状態の場合には試験用リード棒にＰ電源が供給されないようにすることによって、ヒューマンエラーや電力供給支障などを防止することができる表示試験装置が開示されている。
【先行技術文献】
【特許文献】
【０００４】
【特許文献１】特開２０１０−１９７５６号公報
【発明の概要】
【発明が解決しようとする課題】
【０００５】
しかしながら、上記のような試験用リード棒を用いる表示試験は、狭い盤裏での作業となるため、作業者のヒューマンエラーによる感電や短絡・地絡事故、電力供給支障などを完全に防止することは困難である。  
また、連系変電所などの大規模な電気所では、作業量が多く、相当な作業時間や労力が必要となる。さらに、電力系統全体ですべての遠制装置に対して表示試験を完了するまでには長期間かかるため、各遠制装置に対して頻繁に表示試験を行うことは困難であり、不具合が生じていても、次回の表示試験が行われるまでの間は発見することができない。
【課題を解決するための手段】
【０００６】
前述した課題を解決する主たる本発明は、電力機器に接続されるＮ個（Ｎは２以上の整数）の電力機器側端子と表示基板に接続されるＮ個の表示基板側端子とを有する表示端子台を備えた遠隔監視制御装置の表示試験に用いられる表示試験装置であって、Ｎ個の共通端子を有する共通表示端子台と、前記共通端子に接続された共通表示基板と、一端が前記表示基板側端子のそれぞれに接続され、Ｎ個の第１の制御信号に応じて、前記表示基板側端子のそれぞれに正側直流電源を供給するＮ個の第１のスイッチ回路と、一端が前記電力機器側端子のそれぞれに接続され、第２の制御信号に応じて、前記電力機器側端子を前記表示基板側端子または前記共通端子にそれぞれ接続するＮ個の第２のスイッチ回路と、前記遠隔監視制御装置の通信部を介して入力される制御情報に基づいて、前記第１の制御信号および前記第２の制御信号を出力する制御信号出力部と、を有し、前記制御信号出力部は、前記表示試験を行う場合に、前記電力機器側端子を前記共通端子にそれぞれ接続する前記第２の制御信号を出力するとともに、前記表示基板側端子に前記正側直流電源を順次供給する前記第１の制御信号を出力することを特徴とする表示試験装置である。
【０００７】
本発明の他の特徴については、添付図面及び本明細書の記載により明らかとなる。
【発明の効果】
【０００８】
本発明によれば、表示試験における作業者の感電や短絡・地絡事故、電力供給支障などのヒューマンエラーを完全に防止しつつ、作業時間を大幅に短縮して、安全かつ確実に表示試験を行うことができる。
【図面の簡単な説明】
【０００９】
【図１】本発明の一実施形態における表示試験装置の１ワード分の構成を示す回路ブロック図である。
【図２】本発明の一実施形態における表示試験装置全体の構成の概略を示す回路ブロック図である。
【図３】本発明の一実施形態における表示試験装置を用いて遠制装置の表示試験を行う方法を説明するフローチャートである。
【図４】平常運転状態における各スイッチ回路の状態および送信される表示情報を示す模式図である。
【図５】表示試験の開始直後における各スイッチ回路の状態および送信される表示情報を示す模式図である。
【図６】第１ワードの表示試験時における各スイッチ回路の状態および送信される表示情報を示す模式図である。
【図７】第２ワードの表示試験時における各スイッチ回路の状態および送信される表示情報を示す模式図である。
【図８】第３ワードの表示試験時における各スイッチ回路の状態および送信される表示情報を示す模式図である。
【発明を実施するための形態】
【００１０】
本明細書および添付図面の記載により、少なくとも以下の事項が明らかとなる。
【００１１】
＝＝＝表示試験装置の構成＝＝＝
以下、図１および図２を参照して、本発明の一実施形態における表示試験装置の構成について説明する。なお、図２は、一例として３ワードに相当する３個の表示端子台を備えた遠制装置（遠隔監視制御装置）およびその表示試験に用いられる表示試験装置の構成を示しており、図１は、そのうち１ワード分の構成を示している。また、図２においては、各表示端子台に接続された表示基板および電力機器や、表示試験中も試験対象の表示端子台に接続された電力機器を継続して遠隔監視制御するために共通に用いられる共通表示端子台および共通表示基板は省略されている。
【００１２】
まず、図２に示すように、遠制装置１は、第１ないし第３ワードにそれぞれ対応する表示端子台５１ないし５３を備えている。また、各表示端子台は５対の端子を有しており、このことは、各ワードが一例として５ビットからなることを意味する。なお、図２では省略されているが、後述するように、各表示端子台には、遠制装置１外の電力機器および遠制装置１内の表示基板が接続されている。
【００１３】
遠制装置１の表示試験に用いられる本実施形態の表示試験装置は、スイッチ回路１０ないし１６、Ｐ電源線（正側直流電源線）２０、制御信号出力部３０、および処理部４０のほか、共通表示端子台および共通表示基板（後述する図１に図示）からなる。
【００１４】
（第１の）スイッチ回路１１、１３、１５は、それぞれ１ワードのビット数に対応して５個のスイッチからなる。また、それら５×３個のスイッチの一端は、それぞれ、表示端子台５１ないし５３の５×３対の端子の一方側（後述する表示基板側端子）に接続され、他端は、共通に接続されている。そして、当該他端の共通の接続点は、（第３の）スイッチ回路１０を介して、Ｐ電源線２０に接続されている。
【００１５】
（第２の）スイッチ回路１２、１４、１６は、それぞれ１ワードのビット数に対応して５個のスイッチからなる。また、それら５×３個のスイッチは、表示端子台５１ないし５３の５×３対の端子の一方側と他方側（後述する電力機器側端子）との間にそれぞれ接続されている。なお、後述するように、各スイッチは、さらに共通表示端子台に接続された端子を有する３端子スイッチとなっている。
【００１６】
処理部４０には、通信部７０を介して、制御所装置９から制御情報ＣＮが入力されている。また、処理部４０から制御信号出力部３０には、表示試験の開始を指示する制御情報ＣＮに応じて、自動点検指令ＡＣが入力されている。そして、制御信号出力部３０からは、当該自動点検指令ＡＣに基づいて、スイッチ回路１０ないし１６をそれぞれ制御するための制御信号Ｓ１０、Ｓ１１ｎ（０≦ｎ≦４）、Ｓ１２、Ｓ１３ｎ、Ｓ１４、Ｓ１５ｎ、Ｓ１６が出力されている。
【００１７】
次に、図１は、図２に示した遠制装置１および表示試験装置のうち、第１ワードに対応する構成を示している。当該１ワード分の構成においては、遠制装置１は、第１ワードに対応する表示端子台５１を備えている。また、その表示試験に用いられる表示試験装置は、第１ワードに対応するスイッチ回路１１および１２のほか、各ワードに共通のスイッチ回路１０、Ｐ電源線２０、制御信号出力部３０、処理部４０、共通表示端子台５０、および共通表示基板６０からなる。
【００１８】
表示端子台５１は、遠制装置１外の電力機器８１に接続される５個の電力機器側端子と、遠制装置１内の表示基板６１に接続される５個の表示基板側端子とが対になっている。また、表示基板６１からは、表示情報ＤＳ１が出力され、当該表示情報ＤＳ１は、処理部４０に入力されている。一方、共通表示端子台５０は、共通表示基板６０に接続される５個の共通端子を有し、共通表示基板６０からは、表示情報ＤＳ０が出力され、当該表示情報ＤＳ０は、処理部４０に入力されている。そして、処理部４０からは、表示情報ＤＳおよび試験結果ＲＳが出力され、これらは、通信処理部７０を介して、制御所装置９に送信されている。
【００１９】
（第１の）スイッチ回路１１は、１ワードのビット数に対応して５個のスイッチ１１ｎ（１１０〜１１４）からなる。また、スイッチ１１ｎの一端は、それぞれ表示基板側端子に接続され、他端は、共通に接続されている。そして、当該他端の共通の接続点は、（第３の）スイッチ回路１０を介して、Ｐ電源線２０に接続されている。なお、スイッチ１１ｎは、例えばサイリスタで構成され、それぞれゲート信号として供給される（第１の）制御信号Ｓ１１ｎ（Ｓ１１０〜Ｓ１１４）に応じて開閉制御される。
【００２０】
（第２の）スイッチ回路１２は、１ワードのビット数に対応して５個のスイッチ１２ａないし１２ｅからなる。また、スイッチ１２ａないし１２ｅは、３端子スイッチであり、５個の電力機器側端子を５個の表示基板側端子または５個の共通端子にそれぞれ接続する。なお、スイッチ１２ａないし１２ｅは、例えば、ｃ接点および接点を切り替えるためのコイルで構成され、コイルに供給される（第２の）制御信号Ｓ１２によって、すべての接点が一斉に切り替わる。
【００２１】
処理部４０には、通信部７０を介して、制御所装置９から制御情報ＣＮが入力され、処理部４０から制御信号出力部３０には、表示試験の開始を指示する制御情報ＣＮに応じて、自動点検指令ＡＣが入力されている。また、制御信号出力部３０からは、当該自動点検指令ＡＣに基づいて、スイッチ回路１０、１１をそれぞれ開閉制御するための制御信号Ｓ１０、Ｓ１１ｎ、およびスイッチ回路１２を一斉に切り替えるための制御信号Ｓ１２が出力されている。
【００２２】
＝＝＝遠制装置の表示試験方法＝＝＝
以下、図３ないし図８を適宜参照して、本実施形態における表示試験装置を用いて遠制装置の表示試験を行う方法について説明する。なお、図４ないし図８は、スイッチ回路１１ないし１６をそれぞれ構成する５個のスイッチを１個のスイッチで代表させて示した模式図であり、平常運転状態および表示試験の各段階における各スイッチ回路の状態および送信される表示情報を示している。
【００２３】
図４に示すように、遠制装置１が平常運転状態の場合には、スイッチ回路１０、スイッチ回路１１（スイッチ１１ｎ）、スイッチ回路１３（スイッチ１３ｎ）、およびスイッチ回路１５（スイッチ１５ｎ）は、いずれも開いている。また、スイッチ回路１２（スイッチ１２ａ〜１２ｅ）、スイッチ回路１４（スイッチ１４ａ〜１４ｅ）、およびスイッチ回路１６（スイッチ１６ａ〜１６ｅ）は、いずれも表示端子台の電力機器側端子を表示基板側端子に接続している。このとき、処理部４０は、表示基板６１ないし６３から入力される表示情報ＤＳ１ないしＤＳ３を、それぞれ第１ないし第３ワードとする表示情報ＤＳを出力し、当該表示情報ＤＳが通信部７０から制御所装置９に送信される。
【００２４】
表示試験を開始する際には、まず、制御所装置９から遠制装置１に表示試験の開始を指示する制御情報ＣＮを送信し、当該制御情報ＣＮに応じて、処理部４０から制御信号出力部３０に自動点検指令ＡＣが入力される。図３は、一例として、制御情報ＣＮが第１ワード（表示端子台５１に対応）を表示試験の対象として示しており、当該制御情報ＣＮに応じて第１ワードの表示試験を行う場合の処理を示している。
【００２５】
処理部４０から制御信号出力部３０に自動点検指令ＡＣが入力され、第１ワードの表示試験が開始されると（Ｓ１）、図５に示すように、制御信号出力部３０は、制御信号Ｓ１０を出力して、スイッチ回路１０を閉じる（Ｓ２）。また、図６に示すように、制御信号Ｓ１２を出力して、スイッチ回路１２をすべて共通表示端子台５０側に切り替える（Ｓ３）。すなわち、図１に基づいて説明すると、スイッチ回路１２を構成するスイッチ１２ａないし１２ｅは、表示端子台５１の５個の電力機器側端子を共通表示端子台５０の５個の共通端子にそれぞれ接続する。
【００２６】
次に、第１ワードの第ｎビット（０≦ｎ≦４）に対して、Ｓ４ないしＳ７の処理が行われる（ループ処理）。
【００２７】
ループ処理においては、まず、制御信号出力部３０は、ビット「１」を示す制御信号Ｓ１１ｎを出力して、スイッチ回路１１のスイッチ１１ｎを閉じ、第ｎビットに対応する表示基板側端子にＰ電源を供給する（Ｓ４）。また、処理部４０は、表示基板６１から入力される表示情報ＤＳ１の第ｎビットが、制御信号Ｓ１１ｎとして出力されているビット（出力ビット）と一致しているか否かを判定する（Ｓ５）。例えば、ｎ＝０の場合には、制御信号Ｓ１１０を出力してスイッチ１１０を閉じ、第０ビットに対応する表示基板側端子にＰ電源を供給し、表示基板６１から入力される表示情報ＤＳ１の第０ビットが出力ビットと一致しているか否かを判定する。
【００２８】
そして、表示情報ＤＳ１の第ｎビットが出力ビット「１」と一致している場合（Ｓ５：ＹＥＳ）には、第ｎビットの判定結果ＲＳｎ＝１とする（Ｓ６）。一方、当該２つのビットが一致していない場合（Ｓ５：ＮＯ）には、第ｎビットの判定結果ＲＳｎ＝０とする（Ｓ７）。
【００２９】
最後に、第１ワードのすべてのビットの判定結果ＲＳｎ（０≦ｎ≦４）の論理積を試験結果ＲＳとして出力し（Ｓ８）、表示試験を終了する（Ｓ９）。したがって、表示情報ＤＳ１のすべてのビットが出力ビットと一致した場合には、試験結果ＲＳ＝１（試験結果「ＯＫ」）となり、何れかのビットが出力ビットと一致しなかった場合には、試験結果ＲＳ＝０（試験結果「ＮＧ」）となる。そして、当該試験結果ＲＳが通信部７０から制御所装置９に送信される。
【００３０】
このように、順次スイッチ回路１１のスイッチ１１ｎを一旦閉じ、表示端子台５１の表示基板側端子にＰ電源を順次供給しつつ、表示基板６１から出力される表示情報ＤＳ１を出力ビットと比較することによって、第１ワードの表示試験を行うことができる。ここで、第１ワードの表示試験時には、表示基板６１は電力機器８１から切り離され、電力機器８１は共通表示端子台５０を介して共通表示基板６０に接続されている。そこで、図６に示すように、処理部４０は、表示基板６１から入力される表示情報ＤＳ１に代えて、共通表示基板６０から入力される表示情報ＤＳ０を第１ワードとする表示情報ＤＳを出力し、当該表示情報ＤＳが通信部７０から制御所装置９に送信される。
【００３１】
なお、１ワードごとに図３のＳ３以降の処理を繰り返すことによって、複数ワードの表示試験を行うことができ、全ワードの表示試験を連続して行うこともできる。
【００３２】
図７に示すように、第２ワードの表示試験時においては、スイッチ回路１４がすべて共通表示端子台５０側に切り替えられる。そして、処理部４０は、表示基板６２から入力される表示情報ＤＳ２に基づいて試験結果ＲＳを出力し、共通表示基板６０から入力される表示情報ＤＳ０を第２ワードとする表示情報ＤＳを出力する。
【００３３】
また、図８に示すように、第３ワードの表示試験時においては、スイッチ回路１６がすべて共通表示端子台５０側に切り替えられる。そして、処理部４０は、表示基板６３から入力される表示情報ＤＳ３に基づいて試験結果ＲＳを出力し、共通表示基板６０から入力される表示情報ＤＳ０を第３ワードとする表示情報ＤＳを出力する。
【００３４】
前述したように、１ワード分の構成を図１に示した遠制装置１の表示試験に用いられる表示試験装置において、表示試験を行う際には、（第２の）スイッチ回路１２をすべて共通表示端子台５０側に切り替えるとともに、表示端子台５１の表示基板側端子にＰ電源（正側直流電源）を順次供給することによって、表示基板６１から出力される表示情報ＤＳ１に基づいて表示試験を行うことができ、表示試験における作業者の感電や短絡・地絡事故、電力供給支障などのヒューマンエラーを完全に防止しつつ、作業時間を大幅に短縮して、安全かつ確実に表示試験を行うことができる。また、表示試験を行っている間も、共通表示基板６０から出力される表示情報ＤＳ０を用いて、試験対象の表示端子台５１に接続された電力機器８１を継続して監視することができ、制御所装置９−遠制装置１間の遠隔監視制御に影響を与えることはない。
【００３５】
また、Ｐ電源線２０と（第１の）スイッチ回路１１との間に（第３の）スイッチ回路１０を設けることによって、制御所装置９からの遠隔制御によりスイッチ回路１０を閉じ、自動的に表示試験を開始することができる。
【００３６】
また、表示基板６１から出力される表示情報ＤＳ１を（第１の）制御信号Ｓ１１ｎとして出力されている出力ビットと比較することによって、自動的に良否判定を行って、試験結果ＲＳを出力ことができる。
【００３７】
また、複数ワードの表示試験を行う場合には、試験対象となっているワードに対応する表示端子台ごとに、第２のスイッチ回路（１２，１４，１６）をすべて共通表示端子台５０側に切り替えたうえで、第１のスイッチ回路（１１，１３，１５）をそれぞれ開閉制御して、複数ワードの表示試験を連続して行うことができる。
【００３８】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３９】
１          遠制装置（遠隔監視制御装置）
９          制御所装置
１０〜１６  スイッチ回路
１１ｎ（１１０〜１１４）  スイッチ
１２ａ〜１２ｅ  スイッチ
１３ｎ、１５ｎ  スイッチ
２０        Ｐ電源線（正側直流電源線）
３０        制御信号出力部
４０        処理部
５０        共通表示端子台
５１〜５３  表示端子台
６０        共通表示基板
６１〜６３  表示基板
７０        通信部
８１〜８３  電力機器
【図１】
2014023358.tif 000003
【図２】
2014023358.tif 000004
【図３】
2014023358.tif 000005
【図４】
2014023358.tif 000006
【図５】
2014023358.tif 000007
【図６】
2014023358.tif 000008
【図７】
2014023358.tif 000009
【図８】
2014023358.tif 000010